(57)【要約】  本発明は、所定のシーケンス及びフィルムシートに対応するフォーマットでの診断画像をプリントする、画像のデータ源に統合されるか又はそれにリンク可能である装置に関連する。そこでは、画像が、テキスト画像を含むプリントされる画像の数及び種類を特定する情報を運ぶヘッダにより先行される。それは、プリントされる各画像が１つのフィルムポートに対応するよう、少なくともヘッダに含まれる情報に応じて、使用されるフィルムポートの数を確立するカウンタと、その使用領域を最大化するようそのフォーマットを覆うためフィルムポートの大きさを適合するスケーリング機関とを伴う。
2008504099.tif 000002
【特許請求の範囲】
【請求項１】
所定のシーケンス及びフィルムシートに対応するフォーマットで診断画像をプリントする、前記画像のデータ源に統合され又はリンク可能な装置であって、前記画像が、テキスト画像を含むプリントされる画像の数及び種類を特定する情報を運ぶヘッダにより先行されており、プリントされる各画像が１つのフィルムポートに対応するよう、使用されるフィルムポートの数を少なくとも前記ヘッダに含まれる前記情報に基づき確立するカウンタと、更に、使用される領域を最大化するよう前記フォーマットを覆うため前記フィルムポートの大きさを適合させるスケーリング機関とにより特徴付けられる装置。
【請求項２】
前記スケーリング機関が、フィルムポートの連続における各フィルムポートの前記大きさを同様に適合させることを特徴とする、請求項１に記載の装置。
【請求項３】
前記フォーマットを覆うフィルムポートの最大数を表す所定のパラメタ値に基づき、前記スケーリング機関が動作することを特徴とする、請求項１又は２に記載の装置。
【請求項４】
使用されるフィルムポートの前記数を、前記フォーマットを覆うのに使用される前記フィルムポートの行及び列である行列へと変換する所定の変換テーブルに基づき、前記スケーリング機関が動作することを特徴とする、請求項３に記載の装置。
【請求項５】
所定のシーケンス及びフィルムシートに対応するフォーマットで診断画像をプリントする方法において、前記画像が、テキスト画像を含むプリントされる画像の数及び種類を特定する情報を運ぶヘッダにより先行されており、プリントされる各画像が１つのフィルムポートに対応するよう、使用されるフィルムポートの数を少なくとも前記ヘッダに含まれる前記情報に基づき計算するステップと、使用される領域を最大化するよう前記フォーマットを覆うため前記フィルムポートをスケール化するステップとにより特徴付けられる方法。
【請求項６】
所定のシーケンス及びフィルムシートに対応するフォーマットで診断画像をプリントする装置と協働するソフトウェアにおいて、前記画像が、テキスト画像を含むプリントされる画像の数及び種類を特定する情報を運ぶヘッダにより先行されており、プリントされる各画像が１つのフィルムポートに対応するよう、使用されるフィルムポートの数を少なくとも前記ヘッダに含まれる前記情報に基づき確立する第１のアルゴリズムと、プリントされる各画像が１つのフィルムポートに対応するよう、使用されるフィルムポートの数を少なくとも前記ヘッダに含まれる前記情報に基づき確立する第２のアルゴリズムとにより特徴付けられ、更に、使用される領域を最大化するよう前記フォーマットを覆うため前記フィルムポートの大きさを適合させる第２のアルゴリズムにより特徴付けられるソフトウェア。
【請求項７】
前記第２のアルゴリズムが、フィルムポートの連続における各フィルムポートの前記大きさを同様に適合させることを特徴とする、請求項６に記載のソフトウェア。
【請求項８】
前記フォーマットを覆うフィルムポートの最大数を表す所定のパラメタ値に基づき、前記第２のアルゴリズムが動作することを特徴とする、請求項６又は７に記載のソフトウェア。
【請求項９】
使用されるフィルムポートの前記数を、前記フォーマットを覆うのに使用される前記フィルムポートの行及び列である行列へと変換する所定の変換テーブルに基づき、前記第２のアルゴリズムが動作することを特徴とする、請求項８に記載のソフトウェア。
【発明の詳細な説明】
【技術分野】
【０００１】
本発明は、所定のシーケンス及びフィルムシート(a sheet of film)に対応するフォーマットでの診断画像をプリントする、画像のデータ源に統合されるか又はそれにリンク可能である方法及び装置に関連する。そこでは、画像が、テキスト画像を含む画像の数及び種類を特定する情報を運ぶヘッダにより先行される。
【背景技術】
【０００２】
斯かる装置及び方法は、米国特許第5 777 753号により知られる。
【０００３】
その知られた方法及び装置は、単一のフィルムシートに表示されるデジタル放射線画像の数を最大化するために利用される。この目的のため、診断情報が供給される境界内でフレームを識別するために、画像が処理される。フレームの外側の画像の情報は、冗長であると考えられ、削除される。診断情報を備える結果として生じる修正された画像は、フィルムシートの領域に対応する領域に互いに配置され、続いてその上にプリントされる。
【発明の開示】
【発明が解決しようとする課題】
【０００４】
本発明は、フィルム上に供給される利用可能な診断画像から情報を削除することなくフィルムの効率的な使用を最適化することを目的とする。
【０００５】
本発明の別の目的は、フィルム使用を減らし、それでも、効果的で視覚上の診断可能性を提供するフィルムポートへ画像をプリントすることである。
【課題を解決するための手段】
【０００６】
本発明の方法は、テキスト画像を含む、プリントされる画像の数と種類とを特定する情報を運ぶヘッダにより先行される画像に関して動作し、プリントされる各画像が１つのフィルムポートに対応するよう、少なくともヘッダに含まれる情報に応じて使用されるフィルムポートの数を計算するステップと、その使用領域を最大化するようフォーマットを覆うためフィルムポートをスケール化するステップとにより特徴付けられる。
【０００７】
それと調和して、本発明の装置は、プリントされる各画像が１つのフィルムポートに対応するよう、少なくともヘッダに含まれる情報に基づき使用されるフィルムポートの数を確立するカウンタと、使用領域を最大化するようそのフォーマットを覆うためフィルムポートの大きさを適合させるスケーリング機関とにより特徴付けられる。
【０００８】
効率的な診断解析に対する要件を満たすために、スケーリング機関は、フィルムポートの連続における各フィルムポートの大きさを同様に適合させることが好ましい。
【０００９】
有利なことに、スケーリング機関は、フォーマットを覆うフィルムポートの最大数を表す所定のパラメタ値に基づき動作する。この特徴により、１つのフィルムシートに示されるフィルムポートの所望の最大数を単に入力することにより、医師の要求に応じて、その装置を動作させることが可能である。斯かるフィルムポートは、ピクチャ画像(pictorial image)に関連することができるが、テキスト画像にも関連することができる。更に、そのフィルムポートは、検査下にある患者の注目領域の概観を提供する平面スキャン画像(plan scan image)に関係することができ、フィルムシートにプリントされるシーケンスから、特定の画像がスキップされることができるか否かに関する適切な選択が、医師によりなされることができる。
【００１０】
使用されるフィルムポートの数をフォーマット変換に使用されるフィルムポートの行及び列である行列へと変換する所定の変換テーブルに基づき、スケーリング機関が動作するよう、本発明の装置は適切に構成される。こうして、フィルムシート上に画像を与える好ましい方法が、医師による効果的な診断を可能にするよう提供されることができる。
【００１１】
本発明は、上述されたような所定のシーケンス及びフィルムシートに対応するフォーマットで、診断画像をプリントする装置と協働するソフトウェアにおいて実現されることもできる。
【００１２】
本発明によるソフトウェアは、プリントされる各画像が１つのフィルムポートに対応するよう、少なくともヘッダに含まれる情報に基づき使用されるフィルムポートの数を確立する第1のアルゴリズムと、使用領域を最大化するようフォーマットを覆うためフィルムポートの大きさを適合させる第２のアルゴリズムとにより特徴付けられる。
【００１３】
ソフトウェアの追加的な好ましい実施形態が、請求項７−９に特定される。
【発明を実施するための最良の形態】
【００１４】
本発明は、図面を参照し、好ましい実施形態の非限定的な実施例を参照して以下詳細に説明されることになる。
【００１５】
まず最初に図１を参照して、参照番号１は、所定のシーケンス及びフィルムシートに対応するフォーマットで診断画像をプリントする本発明による装置を表す。
【００１６】
診断画像は、参照番号２により概略的に示され表され、テキスト画像を含む画像の数及び種類並びに診断されるスキャン領域の概観を与える平面スキャン画像の数を特定する(デジタル)情報を運ぶヘッダ３により先行される。これは、参照番号４により表される繰り返し示される情報ヘッダにより概略的に示される。
【００１７】
コンピュータベースのワークステーションとすることができる本発明の装置は、１つ又は複数のフィルムシート７に診断画像をプリントするのに使用されるフィルムポートの数を確立する情報ヘッダ４を読み出すことができるカウンタ５を含む。この目的のため、カウンタ５は、情報ヘッダ４を読み出し、プリントされるピクチャ画像の数及び特定の画像がそこからスキップされるか否かを決定する。更に、カウンタ５は、フィルムシートに提供される平面スキャン画像の数を考慮し、利用可能であれば、テキスト画像の数をも考慮する。
【００１８】
本実施例では28である使用されるフィルムポートの数が、実際に使用される領域を最大化するためにフィルムシートのフォーマットを覆うようこれらのフィルムポートの大きさを適合させる装置１のスケーリング機関６に与えられる。こうして、未使用フィルムの量が減らされ、フィルム７に提供される画像における詳細部(detailing)の量が最適化される。
【００１９】
フィルム７は、フィルムのフォーマットを覆うのに使用されることができる、所定の最大数のフィルムポートへと分割される。本実施例においては、6行5列の最大30フィルムポートへと分割される。
【００２０】
図２は、それぞれが、使用可能な25のフィルムポートの最大数を可能にする、同じ28のフィルムポートが２つのフィルムシートにわたり分割されなければならない状況を示す。その場合、以下その説明がなされるが、各フィルムシートは、5行3列に分割される15のフィルムポートを運ぶことになる。
【００２１】
診断目的に関連して、スケーリング機関６が、フィルムに手動でプリントされる28のフィルムポートのそれぞれの大きさを同様に適用させることが好ましい。これは、フィルムポートの連続からそれぞれのフィルムポートの比較可能性を促進させる。
【００２２】
図１及び図２は、28フィルムポートがプリントされることになる本実施例において、利用可能なフィルム領域の実際の使用は最適化される一方で、２つのフィルムポートが未使用のままであることを示す。
【００２３】
表１及び表２はそれぞれ、使用されるフィルムポートの数を、フィルムのフォーマットを実際に覆うためのフィルムポートの行及び列である行列へと変換するのにスケーリング機関６が利用する変換テーブルに関する。表１は、１つのフィルムシートにプリントされる最大数30のフィルムポートを可能にし、一方表２は、最大数25のフィルムポートを可能にする。
【００２４】
表１は、第１列において、診断画像をプリントするのに装置１のカウンタ５で計算される必要なフィルムポートの所望の数を示す。
【表１】
2008504099.tif 000003
【００２５】
表１の第２列は、所望のフィルムポートの数をプリントするのに使用されることができる行及び列の可能な組み合わせの数(ポートレートレイアウトで；しかしながらランドスケープレイアウトもまた可能である)を示す。28フィルムポートがプリントされる本実施例において、列の最大数は5であり、行の最大数は6であり、それは、１つのフィルムフォーマットを覆う最大数30のフィルムポートに対応する。
【００２６】
表１の第３列は、選択された行数及び列数に対応する利用可能なフィルムポートの数を示す。一方、第４及び第５列はそれぞれ、未使用のフィルムポートの数及び未使用フィルムの割合を示す。
【００２７】
図１の例において、必要なフィルムポートの数が28の場合、利用可能なフィルムポートの数は30であるが、結果として、未使用フィルムの6.67%に対応する２つの未使用フィルムポートが生じる。
【００２８】
表２は、表１の変換テーブルに対応する変換テーブルを示す(carry)。しかしながら、１つのフィルムシートにプリントされるフィルムポートの最大数が、表１の場合である30ではなく25に等しいという違いがある。
【表２】
2008504099.tif 000004
【００２９】
表２が、28のフィルムポートがプリントされなければならない状況に適用されるとき、図２に示されるように２つのフィルム７が必要とされる。２つのフィルムの一方において、すべてのフィルムポートは、効率的に使用されることになるが、２つのフィルムの他方においては、２つのフィルムポートが、損失フィルム領域の6.67%に再度対応する未使用のままであることになる。
【００３０】
プリントされる所望のフィルムポートの任意の他の数に対して、表１及び２は、こうしたフィルムポートをプリントするのに必要なフィルムの使用と、こうしたフィルムの未使用領域とを示す。
【図面の簡単な説明】
【００３１】
【図１】本発明による装置の特徴と、その動作方法とを示す概略図である。
【図２】２つのフィルムシート上に本発明に基づきプリントされる28の画像の例を示す図である。
【図１】
2008504099.tif 000005
【図２】
2008504099.tif 000006
【国際調査報告】
2008504099.tif 000007
2008504099.tif 000008
2008504099.tif 000009